(57)【要約】【課題】消費電力の低減と製氷能力の向上を図る。【解決手段】製氷水貯留部３１にある製氷水を筐体１の外部に排水する場合、製氷水排水部６１の三方弁６１ｂで排水管６１ａを開通して製氷水貯留部３１にある製氷水を排水管６１ａに排水する。そして、排水管６１ａの開通と同時に給水ポンプ６３ｂを駆動して排水管６１ａの排水を給水管６３ａから冷却水供給部６３に配水する。これにより、筐体１の内部の製氷水貯留部３１から排水した低温の製氷水が冷却水供給部６３から凝縮器４３に向けて冷却水として散水される。この結果、凝縮器４３での放熱が促進されて、製氷部２での温度がより低温になるので製氷時間を短縮でき、消費電力の低減と製氷能力の向上を図ることができる。【選択図】        図１
2005077029.tif 000002
【特許請求の範囲】
【請求項１】
製氷部と当該製氷部に製氷水を供給する給水手段とを断熱性の筐体の内部に設け、前記製氷部に至る蒸発管に接続した凝縮器を前記筐体の外部に設け、前記筐体の外部への排水を冷却水として前記凝縮器に供給する冷却水供給手段を備えたことを特徴とする製氷機。
【請求項２】
前記冷却水供給手段は、前記凝縮器に供給した後の冷却水を前記凝縮器に再び供給する循環供給部を有していることを特徴とする請求項１に記載の製氷機。
【請求項３】
前記凝縮器からの放熱を促進する放熱ファンを備え、前記冷却水供給手段によって前記凝縮器に冷却水を供給しているときに、前記ファンを停止することを特徴とする請求項１または２に記載の製氷機。
【請求項４】
前記冷却水供給手段は、前記凝縮器に供給する冷却水を霧状にして噴霧する噴霧供給部を有していることを特徴とする請求項１〜３のいずれか一つに記載の製氷機。
【発明の詳細な説明】
【技術分野】
【０００１】
本発明は、自動的に氷塊を製氷する製氷機に関するものである。
【背景技術】
【０００２】
従来、氷塊を製氷する製氷機としてセル方式のものが一般的に知られている。この製氷機は、下向きに開口された多数の製氷小室を角成した製氷部が配置してある。製氷部の下方には所定間隔離間して製氷水タンクが設置してある。製氷水タンクには製氷運転時に製氷水を循環させるための循環パイプの一端が接続してある。当該循環パイプの他端には、ポンプが接続してある。ポンプからは、製氷部に向けて製氷水を噴射供給するための散水パイプが延出してある。散水パイプは、製氷水タンクの上面に設置した氷塊案内板の下面に蛇行配置してある。製氷部の上面には、製氷機の筐体の所要位置に配置した冷凍装置から導出された蒸発管が、各製氷小室の上部に位置するよう蛇行配置し、その延在端が冷凍装置に帰還するよう構成してある。
【０００３】
製氷運転を開始すると、製氷水タンクに貯留されている製氷水が、ポンプによって散水パイプに供給され、さらに散水パイプの上面に穿設してある噴射孔を介して製氷部の各製氷小室内に所定圧で噴出供給される。冷凍装置は、散水パイプでの製氷水の供給開始と同時に運転を開始して蒸発管に冷媒を供給する。これにより、蒸発管および製氷小室が冷媒によって冷却される。したがって、散水パイプから噴射された製氷水は、製氷小室に接触して冷やされた後に順次氷結して製氷小室内で氷塊となる。なお、製氷小室で氷結しない製氷水は、氷塊案内板に穿設してある通孔を介して製氷水タンクに戻されて再循環に供される。一方、氷塊の生成完了を検知手段で検知すると、散水パイプからの製氷水の噴射が停止し、これと適宜タイミングで連動して冷凍装置に設置してあるホットガス弁が切り換えられて除氷運転に移行する。すなわち、蒸発管にホットガスが循環供給され、蒸発管が昇温されるとともに製氷小室も昇温するため、製氷小室内に氷結した氷塊は、製氷小室の壁面と接触している部分が融解して下方への移動を開始する。製氷小室から自重落下した氷塊は、氷塊案内板の上面を滑落して貯氷部に貯容されて除氷運転が終了する。そして、除氷運転が終了した後は、次の製氷運転を開始する。製氷運転−除氷運転のサイクルは貯氷部に氷塊が充満するまで繰り返し行われる。
【０００４】
また、冷凍装置では、製氷部で吸熱した熱量を蒸発管が帰還している凝縮器で空気中（冷凍装置外部）に放熱する。この放熱を促進するために、通常、凝縮器にファンを隣接してあり、当該ファンから凝縮器にあるフィンに強制的に送風を行っている（例えば、特許文献１参照）。
【０００５】
【特許文献１】特開２０００−３２９４３５号公報
【発明の開示】
【発明が解決しようとする課題】
【０００６】
しかしながら、従来の製氷機では、製氷小室で氷結しない製氷水を製氷水タンクに戻して再循環に供している。このように製氷水を循環して使用すると、製氷水中に不純物が蓄積することがあり透明な氷塊が製氷でき難い。そのため、製氷機内部で低温になっている製氷水を定期的に排水して廃棄する。また、貯氷部では、貯容している氷塊が融解した融水を排水して廃棄する。このように、従来の製氷機では、排水の低温エネルギーを廃棄して無駄にしていることになる。
【０００７】
本発明は、上記実情に鑑みて、低温となった排水の熱エネルギーを無駄なく利用して、消費電力の低減と製氷能力の向上を図ることができる製氷機を提供することを目的とする。
【課題を解決するための手段】
【０００８】
上記の目的を達成するために、本発明の請求項１に係る製氷機は、製氷部と当該製氷部に製氷水を供給する給水手段とを断熱性の筐体の内部に設け、前記製氷部に至る蒸発管に接続した凝縮器を前記筐体の外部に設け、前記筐体の外部への排水を冷却水として前記凝縮器に供給する冷却水供給手段を備えたことを特徴とする。
【０００９】
また、本発明の請求項２に係る製氷機は、上記請求項１において、前記冷却水供給手段は、前記凝縮器に供給した後の冷却水を前記凝縮器に再び供給する循環供給部を有していることを特徴とする。
【００１０】
また、本発明の請求項３に係る製氷機は、上記請求項１または２において、前記凝縮器からの放熱を促進する放熱ファンを備え、前記冷却水供給手段によって前記凝縮器に冷却水を供給しているときに、前記ファンを停止することを特徴とする。
【００１１】
また、本発明の請求項４に係る製氷機は、上記請求項１〜３のいずれか一つにおいて、前記冷却水供給手段は、前記凝縮器に供給する冷却水を霧状にして噴霧する噴霧供給部を有していることを特徴とする。
【発明の効果】
【００１２】
本発明に係る製氷機は、筐体の外部への排水を冷却水として凝縮器に供給するので、凝縮器の放熱を助勢できる。この結果、凝縮器での放熱が促進されて、製氷部での温度がより低温になるので製氷時間を短縮でき、消費電力の低減と製氷能力の向上を図ることができる。
【００１３】
また、凝縮器に供給した後の冷却水を凝縮器に再び供給することにより、冷却水を再度用いて凝縮器の放熱を助勢できる。この結果、凝縮器での放熱がさらに促進されて、製氷部での温度がより低温になるので製氷時間を短縮でき、消費電力の低減と製氷能力の向上を図ることができる。
【００１４】
また、凝縮器に冷却水を供給しているときに凝縮器からの放熱を促進する放熱ファンを停止することにより、放熱ファンによる消費電力を低減することができる。
【００１５】
また、凝縮器に供給する冷却水を霧状にして噴霧することにより、冷却水の表面積が増加して凝縮器との熱交換面積が増加する。この結果、凝縮器での放熱がさらに促進されて、製氷部での温度がより低温になるので製氷時間を短縮でき、消費電力の低減と製氷能力の向上を図ることができる。
【発明を実施するための最良の形態】
【００１６】
以下に添付図面を参照して、本発明に係る製氷機の好適な実施例を詳細に説明する。なお、この実施例によりこの発明が限定されるものではない。
【実施例１】
【００１７】
図１は本発明に係る製氷機の実施例１の構成を示す概略図、図２は冷却水供給部および凝縮器を示す斜視図である。
【００１８】
図１に示すように実施例１における製氷機は、筐体１の内部に係り設けられた製氷部２と、給水手段３と、冷凍手段４と、貯氷部５と、冷却水供給手段６とを備えている。
【００１９】
筐体１は、周囲を断熱材に囲まれて断熱性を有しているとともに、水に侵されない防水性を有している。
【００２０】
製氷部２は、図１に示すように筐体１の内部の上方域に設けてあり、製氷小室２１を有している。製氷小室２１は、一方に開口する箱状に構成してあり、例えば断面が四角形の角箱をなしている。この製氷小室２１は、多数設けてあって、例えばそれぞれの外側壁を共有した仕切り板として並び設けてあり、それぞれの開口を下方に向けて筐体１側に支持してある。また、製氷小室２１は、熱伝導性の高い材料（例えばステンレス材など）によって形成してある。
【００２１】
給水手段３は、図１に示すように製氷水貯留部３１と、製氷水供給部３２と、製氷水導水部３３と、製氷水補給部３４とを有している。製氷水貯留部３１は、筐体１の内部において製氷部２の下側に設けてある。製氷水貯留部３１は、製氷水を貯留する容器を構成してあり、その上側を氷案内板３５で閉塞してある。氷案内板３５は、上記各製氷小室２１の開口の直下に展開し、かつ、所定方向に傾斜して設けてある。また、氷案内板３５には、通水孔３５ａが設けてある。製氷水供給部３２は、氷案内板３５の下面に沿って設けてある。製氷水供給部３２は、管状に形成してあり、上記製氷小室２１の下側を通過する態様で配管してある。また、製氷水供給部３２には、それぞれ上側の製氷小室２１の開口に向けて製氷水噴射孔３２ａが設けてある。なお、製氷水噴射孔３２ａから噴射した製氷水を氷案内板３５に通過させるため、当該製氷水噴射孔３２ａを通水孔３５ａに通じて設けるか、あるいは新規の通過孔（図示せず）を氷案内板３５に設けておく。製氷水導水部３３は、製氷水貯留部３１の容器内に一端が臨み、他端が製氷水供給部３２の管に連通した導水管３３ａを有している。また、導水管３３ａには、導水ポンプ３３ｂが設けてある。製氷水補給部３４は、筐体１の外部から筐体１の内部に至り製氷水貯留部３１の容器内に向けて配設した補水管３４ａを有している。補水管３４ａには、補水ポンプ３４ｂが設けてある。
【００２２】
冷凍手段４は、図１に示すように蒸発管４１と、冷凍装置４２とを有している。蒸発管４１は、筐体１の内部において、上記各製氷小室２１の上面に対してロウ付けなどによって熱的に接触しつつ、それぞれの製氷小室２１の位置を通過する態様で配管してある。この蒸発管４１の両端は、筐体１の外部に引き出してある。冷凍装置４２は、筐体１の外部に引き出した蒸発管４１に関して設けてあり、凝縮器４３、膨張器４４、圧縮器４５および切換弁４６を有している。凝縮器４３は、筐体１の外部に引き出した蒸発管４１の両端を接続してある。すなわち、蒸発管４１は、凝縮器４３から導出して筐体１の内部に上記のごとく配置されつつ、その延在端が凝縮器４３に帰還してある。膨張器４４は、凝縮器４３から導出して筐体１の内部に至る間の蒸発管４１に設けてある。圧縮器４５は、筐体１の内部から引き出して凝縮器４３に帰還する間の蒸発管４１に設けてある。切換弁４６は、電磁弁などからなり、凝縮器４３から圧縮器４５までの蒸発管４１の部分と、膨張器４４から筐体１の内部に至る以前の蒸発管４１の部分との間を繋ぐ管路に設けてある。また、凝縮器４３は、放熱ファン４７によって当該凝縮器４３からの放熱が促進される。
【００２３】
貯氷部５は、図１に示すように筐体１の内部の下方域に設けてあって製氷した氷塊を貯容する部分であり、攪拌機構５１と、氷吐出口５２とを有している。攪拌機構５１は、筐体１の内部において回転可能に設けた攪拌アーム５１ａと、筐体１の外部において攪拌アーム５１ａを回転駆動する攪拌モータ５１ｂとで構成してある。氷吐出口５２は、筐体１に設けた開口５２ａを開閉する扉体５２ｂを有している。
【００２４】
冷却水供給手段６は、図１に示すように製氷水排水部６１と、貯氷排水部６２と、冷却水供給部６３とを有している。製氷水排水部６１は、上記給水手段３における製氷水貯留部３１の容器の底から筐体１の外部に向けて排水管６１ａを引き出してある。排水管６１ａには、三方弁６１ｂが設けてある。三方弁６１ｂは、排水口を有している。貯氷排水部６２は、上記貯氷部５を設けた筐体１の底から当該筐体１の外部に向けて排水管６２ａを引き出してある。排水管６２ａには、三方弁６２ｂが設けてある。三方弁６２ｂは、排水口を有している。冷却水供給部６３は、凝縮器４３の上方に設けてあり、図２に示すように箱状に形成された底部に、凝縮器４３に向けて給水孔６３ｃが設けてある。冷却水供給部６３は、各排水管６１ａ，６２ａの引き出した端部が連結した給水管６３ａを接続してある。この給水管６３ａには、給水ポンプ６３ｂが設けてある。また、凝縮器４３の下方には、冷却水受容部６３ｄが設けてある。
【００２５】
上記構成の製氷機では、製氷運転に際し、給水手段３において製氷水貯留部３１の容器に貯留してある製氷水が、導水ポンプ３３ｂによって導水管３３ａに供給されて製氷水供給部３２に導かれる。そして、製氷水供給部３２に導かれた製氷水は、製氷水噴射孔３２ａから上側にある製氷小室２１の開口に向けて噴射する。この給水手段３による製氷小室２１への製氷水の供給と同時に冷凍手段４が運転を開始する。すなわち、冷凍手段４において、冷凍装置４２が蒸発管４１に冷媒を供給する。これにより、蒸発管４１を介して製氷小室２１が冷却される。この結果、製氷小室２１に向けて噴射した製氷水が、蒸発管４１に近接している製氷小室２１の上面から氷結し、これが順次重なって大きくなり一塊の氷塊Ｃになる。
【００２６】
製氷運転のとき、製氷小室２１で氷結しない製氷水は、製氷小室２１の開口から滴下して氷案内板３５に落下し、当該氷案内板３５の通水孔３５ａから製氷水貯留部３１に戻る。すなわち、未氷結の製氷水は、製氷水貯留部３１から製氷水供給部３２に導かれて循環することになる。なお、製氷水補給部３４は、補水ポンプ３４ｂを駆動して補水管３４ａから製氷水貯留部３１の容器に製氷水を補充する。
【００２７】
一方、氷塊Ｃが生成完了すると、除氷運転に切り換わる。除氷運転に際し、給水手段３の導水ポンプ３３ｂが停止して製氷小室２１への製氷水の供給が止まる。そして、冷凍手段４において、冷凍装置４２の切換弁４６切り換わって蒸発管４１にホットガスを供給する。すなわち、蒸発管４１にホットガスが供給されることで蒸発管４１が昇温し、これに伴い製氷小室２１も昇温して、当該製氷小室２１の内壁面に接触している氷塊Ｃの部分が融解する。この結果、氷塊Ｃが製氷小室２１の下部開口から落下することになる。製氷小室２１から落下した氷塊Ｃは、氷案内板３５に落下し、当該氷案内板３５の傾斜の向きに滑落して貯氷部５に貯容される。すべての氷塊Ｃが貯氷部５に貯容されると除氷運転が終了する。除氷運転の終了後は、次の製氷運転を開始する。製氷運転および除氷運転は、貯氷部５に氷塊が充満するまで繰り返し行われる。また、貯氷部５では、攪拌機構５１によって製氷された氷塊Ｃ同士が付かないように攪拌される。そして、必要に応じて扉体５２ｂを開けて開口５２ａから氷塊Ｃを吐出する。
【００２８】
また、上記のごとく製氷水を循環して使用すると、製氷水中に不純物が蓄積することがあり透明な氷塊が製氷でき難い。このため、製氷水貯留部３１にある製氷水を筐体１の外部に定期的に排水する。この場合、製氷水排水部６１の三方弁６１ｂで排水管６１ａを開通して製氷水貯留部３１にある製氷水を排水管６１ａに排水する。そして、排水管６１ａの開通と同時に給水ポンプ６３ｂを駆動して排水管６１ａの排水を給水管６３ａから冷却水供給部６３に配水する。これにより、筐体１の内部の製氷水貯留部３１から排水した低温の製氷水が冷却水供給部６３から凝縮器４３に向けて冷却水として散水されることになる。また、凝縮器４３に散水された冷却水は、冷却水受容部６３ｄに受容されて排水される。なお、凝縮器４３を冷却せずに製氷水貯留部３１にある製氷水を筐体１の外部に排水する場合には、製氷水排水部６１の三方弁６１ｂで排水口を開通し、当該排水口から製氷水を排水する。
【００２９】
また、貯氷部５では、貯容している氷塊が融解した融水を定期的に排水する。この場合、貯氷排水部６２の三方弁６２ｂで排水管６２ａを開通して貯氷部５の融水を排水管６２ａに排水する。そして、排水管６２ａの開通と同時に給水ポンプ６３ｂを駆動して排水管６２ａの排水を給水管６３ａから冷却水供給部６３に配水する。これにより、筐体１の内部の貯氷部５から排水した低温の融水が冷却水供給部６３から凝縮器４３に向けて冷却水として散水されることになる。また、凝縮器４３に散水された冷却水は、冷却水受容部６３ｄに受容されて排水される。なお、凝縮器４３を冷却せずに貯氷部５の融水を筐体１の外部に排水する場合には、貯氷排水部６２の三方弁６２ｂで排水口を開通し、当該排水口から融水を排水する。
【００３０】
したがって、上述した実施例１における製氷機では、製氷水貯留部３１にある低温の製氷水を筐体１の外部に排水し、この排水を冷却水として凝縮器４３に散水するので、凝縮器４３の放熱を助勢できる。この結果、凝縮器４３での放熱が促進されて、製氷部２での温度がより低温になるので製氷時間を短縮でき、消費電力の低減と製氷能力の向上を図ることが可能になる。また、製氷水の排水と共に貯氷部５にある低温の融水を筐体１の外部に排水して凝縮器４３に散水すれば、冷却水の量が増すとともに、略０°に近い氷塊の融水によって冷却水の温度が下がるので、製氷時間をさらに短縮できる。
【実施例２】
【００３１】
図３は本発明に係る製氷機の実施例２の構成を示す概略図である。なお、以下に説明する実施例２において、上述した実施例１と同一箇所には同一の符号を付して示し説明を省略する。
【００３２】
実施例２における製氷機は、上述した実施例１の冷却水供給手段６を改良してある。図３に示すように冷却水供給手段６は、実施例１の構成に加えて冷却水循環部６４をさらに有している。冷却水循環部６４は、上記冷却水受容部６３ｄの底から給水管６３ａに連結する戻し管６４ａを引き出してある。戻し管６４ａには、三方弁６４ｂが設けてある。三方弁６４ｂは、排水口を有している。
【００３３】
上記構成の製氷機では、製氷運転および除氷運転に際しては、上記実施例２と同様である。特に実施例２では、筐体１の内部の製氷水貯留部３１から排水した低温の製氷水が冷却水供給部６３から凝縮器４３に向けて冷却水として散水される。その後、凝縮器４３に散水された冷却水は、冷却水受容部６３ｄに受容される。さらに、冷却水循環部６４の三方弁６４ｂで戻し管６４ａを開通すると同時に給水ポンプ６３ｂを駆動して戻し管６４ａの冷却水を給水管６３ａから冷却水供給部６３に配水する。これにより、凝縮器４３に散水された冷却水が循環して冷却水供給部６３から凝縮器４３に向けて冷却水として再び散水されることになる。また、凝縮器４３に散水された冷却水は、冷却水受容部６３ｄに受容される。なお、冷却水受容部６３ｄに受容した冷却水を排水する場合には、冷却水循環部６４の三方弁６４ｂで排水口を開通し、当該排水口から製氷水を排水する。
【００３４】
また、筐体１の内部の貯氷部５から排水した低温の融水が冷却水供給部６３から凝縮器４３に向けて冷却水として散水される。その後、凝縮器４３に散水された冷却水は、冷却水受容部６３ｄに受容されて排水される。さらに、冷却水循環部６４の三方弁６４ｂで戻し管６４ａを開通すると同時に同時に給水ポンプ６３ｂを駆動して戻し管６４ａの冷却水を給水管６３ａから冷却水供給部６３に配水する。これにより、凝縮器４３に散水された冷却水が循環して冷却水供給部６３から凝縮器４３に向けて冷却水として再び散水されることになる。また、凝縮器４３に散水された冷却水は、冷却水受容部６３ｄに受容される。なお、冷却水受容部６３ｄに受容した冷却水を排水する場合には、冷却水循環部６４の三方弁６４ｂで排水口を開通し、当該排水口から製氷水を排水する。
【００３５】
したがって、上述した実施例２における製氷機では、凝縮器４３に散水した冷却水を循環させて凝縮器４３に向けて冷却水として再び散水するので、冷却水を再度用いて凝縮器４３の放熱を助勢できる。この結果、凝縮器４３での放熱がさらに促進されて、製氷部２での温度がより低温になるので製氷時間を短縮でき、消費電力の低減と製氷能力の向上を図ることが可能になる。
【実施例３】
【００３６】
図４は本発明に係る製氷機の実施例３の構成を示す概略図である。なお、以下に説明する実施例３において、上述した実施例１と同一箇所には同一の符号を付して示し説明を省略する。
【００３７】
実施例３における製氷機は、上述した実施例１あるいは実施例２の冷却水供給手段６を改良してある。図４に示すように冷却水供給手段６は、実施例１あるいは実施例２の構成に加えてファン制御部６５をさらに有している。ファン制御部６５は、放熱ファン４７に接続してあり、当該放熱ファン４７における駆動を制御する。ファン制御部６５は、冷却水供給部６３による冷却水の供給を検出する。この検出は、給水管６３ａに冷却水が通過している旨、給水ポンプ６３ｂを駆動している旨、または給水孔６３ｃに冷却水が通過している旨などの検出がある。ファン制御部６５は、冷却水供給部６３によって凝縮器４３に散水しているときに、放熱ファン４７の駆動を停止する。
【００３８】
上記構成の製氷機では、製氷運転および除氷運転に際しては、上記実施例１と同様である。特に実施例３では、冷却水供給部６３から凝縮器４３に向けて冷却水が散水されているとき、放熱ファン４７の駆動が停止する。
【００３９】
したがって、上述した実施例３における製氷機では、凝縮器４３への冷却水の散水のときに放熱ファン４７を停止するので、放熱ファン４７による消費電力を低減することが可能になる。
【実施例４】
【００４０】
図５は冷却水供給部の他の実施例を示す斜視図である。なお、以下に説明する実施例４において、上述した実施例１と同一箇所には同一の符号を付して示し説明を省略する。
【００４１】
実施例４における製氷機は、上述した実施例１、実施例２および実施例３の冷却水供給手段６を改良してある。図５に示すように冷却水供給手段６は、実施例１あるいは実施例２の構成に加えて、噴霧供給部６６をさらに有している。噴霧供給部６６は、冷却水供給部６３の箱状に形成された底部にある給水孔６３ｃに取り付けてあり凝縮器４３に向けて設けてある。この噴霧供給部６６は、冷却水を霧状にして噴射する。
【００４２】
上記構成の製氷機では、製氷運転および除氷運転に際しては、上記実施例１と同様である。特に実施例４では、冷却水供給部６３から凝縮器４３に向けて冷却水が散水されるとき、当該冷却水が霧状にして凝縮器４３に噴射される。
【００４３】
したがって、上述した実施例４における製氷機では、冷却水を霧状にして噴射するので、冷却水の表面積が増加して凝縮器４３との熱交換面積が増加する。この結果、凝縮器４３での放熱がさらに促進されて、製氷部２での温度がより低温になるので製氷時間を短縮でき、消費電力の低減と製氷能力の向上を図ることが可能になる。
【産業上の利用可能性】
【００４４】
以上のように、本発明に係る製氷機は、低温となった排水の熱エネルギーを無駄なく利用することに有用であり、特に消費電力の低減と製氷能力の向上を図ることに適している。
【図面の簡単な説明】
【００４５】
【図１】本発明に係る製氷機の実施例１の構成を示す概略図である。
【図２】冷却水供給部および凝縮器を示す斜視図である。
【図３】本発明に係る製氷機の実施例２の構成を示す概略図である。
【図４】本発明に係る製氷機の実施例３の構成を示す概略図である。
【図５】冷却水供給部の他の実施例を示す斜視図である。
【符号の説明】
【００４６】
１    筐体
２    製氷部
２１    製氷小室
３    給水手段
３１    製氷水貯留部
３２    製氷水供給部
３２ａ    製氷水噴射孔
３３    製氷水導水部
３３ａ    導水管
３３ｂ    導水ポンプ
３４    製氷水補給部
３４ａ    補水管
３４ｂ    補水ポンプ
３５    氷案内板
３５ａ    通水孔
４    冷凍手段
４１    蒸発管
４２    冷凍装置
４３    凝縮器
４４    膨張器
４５    圧縮器
４６    切換弁
４７    放熱ファン
５    貯氷部
５１    攪拌機構
５１ａ    攪拌アーム
５１ｂ    攪拌モータ
５２    氷吐出口
５２ａ    開口
５２ｂ    扉体
６    冷却水供給手段
６１    製氷水排水部
６１ａ    排水管
６１ｂ    三方弁
６２    貯氷排水部
６２ａ    排水管
６２ｂ    三方弁
６３    冷却水供給部
６３ａ    給水管
６３ｂ    給水ポンプ
６４    冷却水循環部
６４ａ    戻し管
６４ｂ    三方弁
６５    ファン制御部
Ｃ    氷塊
【図１】
2005077029.tif 000003
【図２】
2005077029.tif 000004
【図３】
2005077029.tif 000005
【図４】
2005077029.tif 000006
【図５】
2005077029.tif 000007